(57)【特許請求の範囲】
【請求項１】
ダム湖、貯水池、湖沼、海洋その他様々なところに設置し、主として水質改善ないし汚濁防止のために用いられるフェンスであって、フェンスシート端部の係留点からフェンスシートの水際付近の幅方向途中までにわたって、ワイヤ、ロープその他の係留索を配置するとともに、前記フェンスシートに沿うようにチェンからなるふかれ防止部材を鉛直方向に配置し、前記チェンの周囲を触れ回り防止カバーで覆ってあることを特徴とする空中浮上防止フェンス。
【請求項２】
フェンスシートの幅方向に所定の間隔を置いて、チェンからなるふかれ防止部材が複数本配置されていることを特徴とする請求項１記載の空中浮上防止フェンス。
【請求項３】
フェンスシートの上端に備えられているフロートとは別に、チェンからなるふかれ防止部材を保持するための補助フロートが備えられていることを特徴とする請求項１又は２記載の空中浮上防止フェンス。
【請求項４】
チェンが連結シャックルを介して補助フロートに連結されていることを特徴とする請求項１記載の空中浮上防止フェンス。
【請求項５】
触れ回り防止カバーはフェンスシートに縫合されていることを特徴とする請求項１記載の空中浮上防止フェンス。
【請求項６】
触れ回り防止カバーをロープその他の結束具で結束したことを特徴とする請求項１又は５記載の空中浮上防止フェンス。
【発明の詳細な説明】
【技術分野】
【０００１】
本発明は、ダム湖、貯水池、湖沼、海洋その他様々なところに設置し、主として水質改善ないし汚濁防止のために用いられるフェンスに関し、さらに詳しくは、フェンスシート端部の係留点の水際付近で張りが発生するのを防止するとともに、風を受けてフェンスシートが変形して浮き上がるのを防止し得るようにしたものに関する。
【背景技術】
【０００２】
ダム湖、貯水池、湖沼、海洋その他様々なところの水質改善ないし汚濁防止のために、通常、その右岸と左岸とに差し渡すように、しかも、水面に対して垂下状態になるようにフェンスを設置することが多い（例えば、特許文献１、２参照）。
【先行技術文献】
【特許文献】
【０００３】
【特許文献１】特開平１０−６０８７４号公報（図１〜図３参照）。
【０００４】
【特許文献２】特開２００５−１２０５８２号公報（図１、図２参照）。
【発明の概要】
【発明が解決しようとする課題】
【０００５】
従来の場合のこのようなフェンスＦ’の設置状況は、模式図である図６(a)、(b)の上側の図（平面図）と下側の図（断面図）に示すように、フェンスシート１’端部をワイヤ、ロープその他の係留索で係留点Ａ’に単に係留しただけであるから、図６(a)、(b)の上側の図（平面図）において符号ｆ’で示すように、フェンスシート１’端部の係留点Ａ’の水際付近でフェンスシート１’に張りが発生するという欠点があった。
【０００６】
また、フェンスシート１’端部付近が風を受けて本来水面に対して垂下状態にあるべきフェンスシート１’が変形して浮き上がってしまい、フェンスＦ’が損傷するのみならず、フェンスＦ’本来の機能を発揮することができないばかりか、非常に危険であるという欠点があった。このような事態は、特に図６(b)の低水位時〔ＬＷＬ時〕に起ることが多かった。
本発明は、このような欠点を解消することを目的とするものである。
【課題を解決するための手段】
【０００７】
上記目的を達成するために、本発明では、ダム湖、貯水池、湖沼、海洋その他様々なところに設置し、主として水質改善ないし汚濁防止のために用いられるフェンスにおいて、フェンスシート端部の係留点からフェンスシートの水際付近の幅方向途中までにわたって、ワイヤ、ロープその他の係留索を配置するとともに、前記フェンスシートに沿うようにチェンからなるふかれ防止部材を鉛直方向に配置し、前記チェンの周囲を触れ回り防止カバーで覆ったものである。
【０００８】
本発明によるフェンスを水面に対して垂下状態になるように設置した場合において、模式図である図１(a)、(b)の上側の図（平面図）において符号ｆで示すように、フェンスシート端部の係留点の水際付近でフェンスシートに緩みを持たせることができ、従来のような張りが発生するのを解消することができる。特に、低水位時〔ＬＷＬ時〕においても、図１(b)の下側の図（断面図）に示すように、係留点の水際付近でフェンスシート端部に空気が溜まりにくくすることができ、フェンスの空中浮上を抑制することができる。
【０００９】
また、フェンスシートに沿うようにチェンからなるふかれ防止部材を鉛直方向に配置してあるから、本発明によるフェンスを上記のように設置した場合において、フェンスシート全体が風によって膨らみ、変形するのを防止することができる。したがって、強風時の安全性を十分確保することができる。
【００１０】
さらに、チェンの周囲を触れ回り防止カバーで覆ってあるので、本発明によるフェンスを上記のように設置した場合において、ステンレス鋼などの材質であるチェンにより、フェンスシートを直接傷付けることがなく、耐久性の面で極めて有利である。
【００１１】
フェンスシートの幅方向に所定の間隔を置いて、チェンからなるふかれ防止部材が複数本配置されていることが望ましい。このようにすると、本発明によるフェンスを上記のように設置した場合において、フェンスシート全体が風によって膨らみ、変形するのをより一層防止することができる。
【００１２】
フェンスシートの上端に備えられているフロートとは別に、チェンからなるふかれ防止部材を保持するための補助フロートが備えられていることが望ましい。このようにすると、本発明によるフェンスを上記のように設置した場合において、フェンスシートを保持するフロートとは別の補助フロートにより、チェンからなるふかれ防止部材を保持することができるので、フェンスシート全体が風によって膨らみ、変形するのをさらに防止することができる。
【００１３】
チェンが連結シャックルを介して補助フロートに連結されていることが望ましい。このようにすると、本発明によるフェンスを上記のように設置した場合において、ふかれ防止部材であるチェンを極めて簡単に補助フロートに連結することができる。
【００１４】
触れ回り防止カバーはフェンスシートに縫合されていることが望ましい。このようにすると、本発明によるフェンスを上記のように設置した場合において、触れ回り防止カバーで覆われているチェンが、フェンスシートに対して妄りに動くことがないので、フェンスシート全体が風によって膨らみ、変形するのを防止するのに一層役立つことになる。
【００１５】
触れ回り防止カバーをロープその他の結束具で結束しておくのが良い。このようにした場合には、本発明によるフェンスを上記のように設置した場合において、触れ回り防止カバーを絶えず筒状に保持できるので、この触れ回り防止カバーで覆われているチェンを、フェンスシートに沿って鉛直方向に安定して垂下させることができる。
【発明の効果】
【００１６】
請求項１記載の発明によれば、本発明によるフェンスを上記のように設置した場合において、フェンスシート端部の係留点の水際付近でフェンスシートに緩みを持たせることができるので、従来のような張りが発生するのを解消することができる。特に、低水位時〔ＬＷＬ時〕においても、係留点の水際付近でフェンスシート端部に空気が溜まりにくくすることができ、フェンスの空中浮上を抑制することができる。したがって、フェンス本来の機能を十分に発揮することができる。
【００１７】
また、フェンスシートに沿うようにチェンからなるふかれ防止部材を鉛直方向に配置してあるから、本発明によるフェンスを上記のように設置した場合において、フェンスシート全体が風によって膨らみ、変形するのを防止することができる。したがって、強風時の安全性を十分確保することができる。
【００１８】
さらに、チェンの周囲を触れ回り防止カバーで覆ってあるので、本発明によるフェンスを上記のように設置した場合において、ステンレス鋼などの材質であるチェンにより、フェンスシートを直接傷付けることがなく、耐久性の面で極めて有利である。
【００１９】
請求項２記載の発明によれば、本発明によるフェンスを上記のように設置した場合において、チェンからなるふかれ防止部材がフェンスシートの幅方向に所定の間隔を置いて複数本配置されているから、フェンスシート全体が風によって膨らみ、変形するのをより一層防止することができる。
【００２０】
請求項３記載の発明によれば、本発明によるフェンスを上記のように設置した場合において、フェンスシートを保持するフロートとは別の補助フロートにより、チェンからなるふかれ防止部材を保持することができるので、フェンスシート全体が風によって膨らみ、変形するのをさらに防止することができる。
【００２１】
請求項４記載の発明によれば、本発明によるフェンスを上記のように設置した場合において、ふかれ防止部材であるチェンを極めて簡単に補助フロートに連結することができる。
【００２２】
請求項５記載の発明によれば、本発明によるフェンスを上記のように設置した場合において、触れ回り防止カバーで覆われているチェンが、フェンスシートに対して妄りに動くことがないので、フェンスシート全体が風によって膨らみ、変形するのを防止するのに一層役立つことになる。
【００２３】
請求項６記載の発明によれば、本発明によるフェンスを上記のように設置した場合において、触れ回り防止カバーを絶えず筒状に保持できるので、この触れ回り防止カバーで覆われているチェンを、フェンスシートに沿って鉛直方向に安定して垂下させることができる。
【図面の簡単な説明】
【００２４】
【図１】本発明による空中浮上防止フェンスの設置状況を示す模式図で、(a)は高水位時〔ＨＷＬ時〕の平面図と断面図、(b)は低水位時〔ＬＷＬ時〕の平面図と断面図である。
【図２】本発明による空中浮上防止フェンスの一例を示す図で、(a)は正面図、(b)は側面図である。
【図３】本発明による空中浮上防止フェンスの一部を示す拡大図で、(a)は縦断面図、(b)は横断面図である。
【図４】本発明による空中浮上防止フェンスの一部を示す拡大図で、ふかれ防止部材であるチェンが連結シャックルを介して補助フロートに連結されている状態を示す。
【図５】本発明による空中浮上防止フェンスの一部を示す拡大図で、(a)はフェンスシートの下端に水平方向に配置されている補強ベルトに、ロープを結束して沈錘ウエイトを取り付けた状態を示す拡大正面図、(b)はその拡大側面図である。
【図６】従来の場合の空中浮上防止フェンスの設置状況を示す模式図で、(a)は高水位時〔ＨＷＬ時〕の平面図と断面図、(b)は低水位時〔ＬＷＬ時〕の平面図と断面図である。
【発明を実施するための形態】
【００２５】
本発明を実施するための形態について、図面を参照しながら説明する。
ここでは、本発明による空中浮上防止フェンスＦをダム湖Ｃの右岸ｃと左岸ｃ’とに差し渡すように設置した場合を例に挙げて、以下本発明を詳細に説明する。
【００２６】
本フェンスＦも主として水質改善ないし汚濁防止のために用いられるものであって、図１(a)、(b)に示すように、ダム湖Ｃの右岸ｃと左岸ｃ’とに差し渡すように、しかも、本フェンスＦの主体であるシート状のフェンスシート１が水面に対して垂下状態になるように設置される。
【００２７】
そして、上記のように設置された本フェンスＦのフェンスシート１端部の係留点Ａからフェンスシート１の水際付近の幅方向途中までにわたって、ワイヤ、ロープその他の係留索Ｂを配置する。係留索Ｂをこのように配置すると、本フェンスＦを上記のように設置した場合において、図１(a)、(b)の上側の図（平面図）において符号ｆで示すように、フェンスシート１端部の係留点Ａの水際付近でフェンスシート１に緩みを持たせることができるので、従来のような張りが発生するのを解消することができる。特に、図１(b)に示す低水位時〔ＬＷＬ時〕においても、係留点Ａの水際付近でフェンスシート１端部に空気が溜まりにくくすることができ、本フェンスＦの空中浮上を抑制することができる。したがって、本フェンスＦ本来の機能を十分に発揮することができる。
【００２８】
シート状のフェンスシート１についてさらに詳しく説明すると、フェンスシート１の上端は幅方向全体にわたって多数並設されているフロート２，２に所定の間隔ごとに連結されており、これらの浮力によりシート状のフェンスシート１を水面に対して垂下状態に保つことができる。なお、多数並設されているフロート２，２は、図２(a)の左側に点線で示すように、フロート覆布３で覆われており、その一部を切り欠いたところではフロート２を実線で表わしてある。
【００２９】
そして、本フェンスＦの全体を示す図２(a)に示すように、シート状の前記フェンスシート１に対して、その上端にはメインベルト４が幅方向全体にわたって、また、その左右両端には補強ベルト５が高さ方向全体にわたって、多数の前記フロート２，２を覆っているフロート覆布３を覆う位置まで、さらに、その下端には補強ベルト６が幅方向全体にわたって、それぞれ配置されている。また、シート状のフェンスシート１の平面部分にはそれぞれ所定の間隔を置いて、水平方向と鉛直方向にさらに別の補強ベルト７，７、８，８が配置されている。
【００３０】
このように補強されたシート状のフェンスシート１の表面側には、図２(a)、(b)に示すように、このフェンスシート１に沿うようにふかれ防止部材９が鉛直方向に配置されている。したがって、本フェンスＦを上記のように設置した場合において、シート状のフェンスシート１全体が風によって膨らみ、変形するのを防止することができる。したがって、強風時の安全性を十分確保することができる。
【００３１】
前記ふかれ防止部材９は、図３及び図４に詳示するように、チェン９ａからなり、その周囲を触れ回り防止カバー１１で覆ってある。したがって、本フェンスＦを上記のように設置した場合において、ステンレス鋼などの材質であるチェン９ａにより、フェンスシート１を直接傷付けることがなく、耐久性の面で極めて有利である。
【００３２】
なお、前記補強ベルト７，８はシート状のフェンスシート１を補強するのみならず、フェンスシート１に仮に破れが生じた場合においてその進行を抑える役割を果たすこともできる。
【００３３】
ここでは、図２(a)に示すように、フェンスシート１の幅方向に所定の間隔を置いて、チェン９ａからなるふかれ防止部材９が複数本配置されている場合が例示されている。このようにすると、本フェンスＦを上記のように設置した場合において、シート状のフェンスシート１全体が風によって膨らみ、変形するのをより一層防止することができる。このチェン９ａからなるふかれ防止部材９はシート状のフェンスシート１に対して所定の長さと所定の重量とを有しており、シート状のフェンスシート１全体が風によって膨らみ、変形するのを防止することができる。
【００３４】
また、ここでは、図２及び図４に示すように、フェンスシート１の上端に備えられているフロート２，２とは別に、チェン９ａからなるふかれ防止部材９，９を保持するための補助フロート１０，１０が備えられている場合が例示されている。このようにすると、本フェンスＦを上記のように設置した場合において、フェンスシート１を保持するフロート２とは別の補助フロート１０，１０により、チェン９ａからなるふかれ防止部材９を保持することができるので、シート状のフェンスシート１全体が風によって膨らみ、変形するのをさらに防止することができる。
【００３５】
なお、シート状のフェンスシート１の平面部分に鉛直方向に配置されている前記補強ベルト８には、図３(a)に示すように、Ｄ環付き金具１２が取り付けてあり、このＤ環付き金具１２に吊りシャックル１３を介して前記チェン９ａの上端近くが定着されている。
【００３６】
そして、ここでは、図４に示すように、チェン９ａの上端が連結シャックル１４を介して前記補助フロート１０の胴部分に取り付けられている場合が例示されている。このようにすると、本フェンスＦを上記のように設置した場合において、ふかれ防止部材９であるチェン９ａを極めて簡単に補助フロート１０に連結することができる。なお、図４において、符号１０ａはフロートバンドである。
【００３７】
また、ここでは、図３(a)、(b)に示すように、前記触れ回り防止カバー１１がフェンスシート１に縫合されている場合が例示されている。図３(a)、(b)では、この縫合を図面符号１５で示す。この縫合を行うと、本フェンスＦを上記のように設置した場合において、触れ回り防止カバー１１で覆われているチェン９ａが、フェンスシート１に対して妄りに動くことがないので、シート状のフェンスシート１全体が風によって膨らみ、変形するのを防止するのに一層役立つことになる。
【００３８】
さらに、ここでは、図３(a)、(b)に示すように、触れ回り防止カバー１１をロープその他の結束具１６で結束した場合が例示されている。このようにした場合には、本フェンスＦを上記のように設置した場合において、触れ回り防止カバー１１を絶えず筒状に保持できるので、この触れ回り防止カバー１１で覆われているチェン９ａを、シート状のフェンスシート１に沿って鉛直方向に安定して垂下させることができる。
【００３９】
なお、上述したように、シート状のフェンスシート１の下端には補強ベルト６が幅方向全体にわたって配置されているが、この補強ベルト６の一部は図５(a)、(b)に示すようにチューブ形になっている。そして、チューブ形の補強ベルト６の中には横方向に長い沈錘ウエイト１７が挿入してあり、この長い沈錘ウエイト１７を所定の間隔をおいてロープその他の結束具１８で補強ベルト６のチューブ部分６ａに結束してある。沈錘ウエイト１７としては、図５(a)、(b)に示すようにチェンとすることもできる。
【符号の説明】
【００４０】
１…フェンスシート、２…フロート、９…ふかれ防止部材、９ａ…チェン、１０…補助フロート、１１…触れ回り防止カバー、１４…連結シャックル、１５…縫合、１６…結束具、Ａ…係留点、Ｂ…係留索、Ｆ…フェンス。
【図１】
0005490189.tif 000002
【図２】
0005490189.tif 000003
【図３】
0005490189.tif 000004
【図４】
0005490189.tif 000005
【図５】
0005490189.tif 000006
【図６】
0005490189.tif 000007